(57)【特許請求の範囲】
【請求項１】
通信用ネットワークで結ばれた複数の伝送装置と、管理用ネットワークを介して各前記伝送装置を管理する管理装置と、を備え、前記伝送装置は、前記管理用ネットワークを介して前記管理装置にアラームを通知するとともに、該アラームを通知できない場合、前記通信用ネットワーク上の通信パスを介して隣接の伝送装置に前記アラームを通知し、該隣接の伝送装置から前記管理用ネットワークを介して前記管理装置に該アラームを通知する伝送パス管理制御システムであって、
前記管理装置は、
前記伝送装置がアラームを生起する際のアラーム種別と優先度を判断するための判断情報を前記伝送装置に指示するアラーム優先度指示手段を備え、
前記伝送装置は、
自らの事象を通知するためのアラームを生起するアラーム生起手段と、
アラームが生起したときに、前記管理装置により指示された前記判断情報に基づいて、生起したアラームに優先度を設定する優先度設定手段と、を備え、
前記伝送装置は、
自己と隣接度合いの高い、または接続段数の小さい伝送装置からのアラームの優先度を高く設定し、当該アラームの優先度に従いアラーム通知を行うことを特徴とする伝送パス管理制御システム。
【請求項２】
通信用ネットワークで結ばれた複数の伝送装置と、管理用ネットワークを介して各前記伝送装置を管理する管理装置と、を備え、前記伝送装置は、前記管理用ネットワークを介して前記管理装置にアラームを通知するとともに、該アラームを通知できない場合、前記通信用ネットワーク上の通信パスを介して隣接の伝送装置に前記アラームを通知し、該隣接の伝送装置から前記管理用ネットワークを介して前記管理装置に該アラームを通知する伝送パス管理制御システムであって、
前記管理装置は、
前記伝送装置がアラームを生起する際のアラーム種別と優先度を判断するための判断情報を前記伝送装置に指示するアラーム優先度指示手段を備え、
前記伝送装置は、
自らの事象を通知するためのアラームを生起するアラーム生起手段と、
アラームが生起したときに、前記管理装置により指示された前記判断情報に基づいて、生起したアラームに優先度を設定する優先度設定手段と、を備え、
前記伝送装置は、
自己が前記管理装置にアラームを通知することができず、隣接する伝送装置にさらに隣接する伝送装置にアラームを送出するときには優先度を低く設定し、当該アラームの優先度に従いアラーム通知を行うことを特徴とする伝送パス管理制御システム。
【請求項３】
通信用ネットワークで結ばれた複数の伝送装置と、管理用ネットワークを介して各前記伝送装置を管理する管理装置と、を備え、前記伝送装置は、前記管理用ネットワークを介して前記管理装置にアラームを通知するとともに、該アラームを通知できない場合、前記通信用ネットワーク上の通信パスを介して隣接の伝送装置に前記アラームを通知し、該隣接の伝送装置から前記管理用ネットワークを介して前記管理装置に該アラームを通知する伝送パス管理制御システムであって、
前記管理装置は、
前記伝送装置がアラームを生起する際のアラーム種別と優先度を判断するための判断情報を前記伝送装置に指示するアラーム優先度指示手段を備え、
前記伝送装置は、
自らの事象を通知するためのアラームを生起するアラーム生起手段と、
アラームが生起したときに、前記管理装置により指示された前記判断情報に基づいて、生起したアラームに優先度を設定する優先度設定手段と、を備え、
前記伝送装置は、
他の伝送装置へアラームを送出する際の前記通信パスとして、
アラームに付与されている優先度を変更しない通常の通信パス、
前記優先度を低減させる非優先化通信パス、または、
前記優先度を増加させる優先化通信パスのいずれかを用いてアラームを転送する送信手段を備え、
前記管理装置により指示された前記判断情報に従って、三種類の前記通信パスのいずれか一つ、またはその組合せを用いてアラームを転送することを特徴とする伝送パス管理制御システム。
【請求項４】
前記伝送装置は、
他の伝送装置にアラームを送信する場合、アラームの優先度に従ってアラームを廃棄することを特徴とする請求項１乃至請求項３のいずれか一項に記載の伝送パス管理制御システム。
【請求項５】
通信用ネットワークで結ばれた複数の伝送装置と、管理用ネットワークを介して各前記伝送装置を管理する管理装置と、を備え、前記伝送装置は、前記管理用ネットワークを介して前記管理装置にアラームを通知するとともに、該アラームを通知できない場合、前記通信用ネットワーク上の通信パスを介して隣接の伝送装置に前記アラームを通知し、該隣接の伝送装置から前記管理用ネットワークを介して前記管理装置に該アラームを通知する伝送パス管理制御方法あって、
前記管理装置において、
前記伝送装置がアラームを生起する際のアラーム種別と優先度を判断するための判断情報を前記伝送装置に指示するアラーム優先度指示工程を有し、
前記伝送装置において、
自らの事象を通知するためのアラームを生起するアラーム生起工程と、
アラームが生起したときに、前記管理装置により指示された前記判断情報に基づいて、生起したアラームに優先度を設定する優先度設定工程と、を有し、
前記伝送装置において、
自己と隣接度合いの高い、または接続段数の小さい伝送装置からのアラームの優先度を高く設定し、当該アラームの優先度に従いアラーム通知を行うことを特徴とする伝送パス管理制御方法。
【請求項６】
通信用ネットワークで結ばれた複数の伝送装置と、管理用ネットワークを介して各前記伝送装置を管理する管理装置と、を備え、前記伝送装置は、前記管理用ネットワークを介して前記管理装置にアラームを通知するとともに、該アラームを通知できない場合、前記通信用ネットワーク上の通信パスを介して隣接の伝送装置に前記アラームを通知し、該隣接の伝送装置から前記管理用ネットワークを介して前記管理装置に該アラームを通知する伝送パス管理制御システム、を構成する前記管理装置としてのコンピュータを、
前記伝送装置がアラームを生起する際のアラーム種別と優先度を判断するための判断情報を前記伝送装置に指示するアラーム優先度指示手段、として機能させるとともに、
前記伝送装置としてのコンピュータを、
自らの事象を通知するためのアラームを生起するアラーム生起手段、
アラームが生起したときに、前記管理装置により指示された前記判断情報に基づいて、生起したアラームに優先度を設定する優先度設定手段、
自己と隣接度合いの高い、または接続段数の小さい伝送装置からのアラームの優先度を高く設定し、当該アラームの優先度に従いアラーム通知を行うアラーム送信手段、
として機能させるための制御プログラム。
【発明の詳細な説明】
【技術分野】
【０００１】
本発明は、伝送パス管理制御システム、伝送パス管理制御方法および制御プログラムに関する。
【背景技術】
【０００２】
電気通信ネットワークにおいては、伝送装置からこれを管理する管理装置（ＥＭＳ：Element Management System）に各種のアラームが通知される。このときのネットワークの故障や輻輳により重要なアラームの通知が妨げられることを回避するための方式が提案されている。
【０００３】
図１１は、複数の伝送装置と１台の管理装置を配備する電気通信ネットワークを説明する図である。図１１は、隣接した伝送装置の経由によるアラームの通知を示す。
図１１に示すように、管理制御システム１は、複数の伝送装置１１１〜１１５と、伝送装置１１１〜１１５を管理する管理装置（ＥＭＳ）１０とを備える。伝送装置１１１〜１１５は、通信用ネットワーク１２で結ばれる。管理装置１０と各伝送装置１１１〜１１５間の接続については、特に大規模な公衆電気通信網においては、通信用ネットワーク１２とは別のデータ通信ネットワーク（以下、ＤＣＮ：Data Communication Networkという）１３を用いることが一般的である。以下の説明において、伝送装置１１１〜１１５を総称する場合は、伝送装置１１と呼ぶ。伝送装置１１の台数は任意（ただし２以上）である。
管理装置１０は、ＤＣＮ１３を介して各伝送装置１１１〜１１５と接続し、伝送装置１１１〜１１５を管理する。
【０００４】
伝送装置１１１〜１１５は、通信用ネットワーク１２に通信パス１４を設定して隣接の伝送装置と接続する。伝送装置１１１〜１１５は、各種のアラーム（警報）１５を管理装置１０に通知する。
通信パス１４は、例えば、ＭＰＬＳ（Multi Protocol Label Switching）を用いる場合はＬＳＰ（Label Switch Path）が相当する。
管理装置１０と各伝送装置１１１〜１１５の接続構成は、アウトバンドでの接続構成と、伝送装置１１１〜１１５同士が接続される主信号ネットワークを使用したインバンドでの接続構成が挙げられる。これらの併用により、アウトバンド通信が疎通不可となっても、インバンド通信で他の伝送装置にアラームを転送して管理装置１０に通知できる。
【０００５】
図１１に示すように、伝送装置１１１は、ＤＣＮ１３を介して管理装置１０にアラーム１５を通知する。このとき、管理装置１０と伝送装置１１１間の通信経路における故障（図１１の符号ａ参照）や輻輳により、その通信経路ではアラーム１５が通知できない場合がある。このようなケースでは、インバンド通信を用いてアラーム１５を通知する。すなわち、インバンド通信では、伝送装置１１１は、隣接の伝送装置１１２に対して通信用ネットワーク１２上の通信パス１４を介してアラーム１５を通知し、該隣接の伝送装置１１２からＤＣＮ１３を介して管理装置１０にアラーム１５を通知する。このように、隣接の伝送装置１１１と管理装置１０間のＤＣＮ１３が故障や輻輳等で利用できない場合は、さらに先の伝送装置１１３を介して管理装置１０へアラーム１５が通知される。
【０００６】
ところで、広範囲のＤＣＮ１３が故障や輻輳になった場合、伝送装置１１１〜１１５と管理装置１０間の通信が困難となる。また、多量のアラームが発生し、管理装置１０との接続が可能な特定の伝送装置１１へアラーム１５が集中する。このため、途中の通信パスにおいて輻輳を誘発することになり、重要なアラームが途中で廃棄される可能性が高まることになる。重要なアラームが途中で廃棄されると、管理装置１０は伝送装置１１の状態を正しく把握できない。
【０００７】
特許文献１には、優先度の高いアラームのみに絞り込んで通知する警報状態管理装置が記載されている。
図１２は、特許文献１に記載の警報状態管理装置の優先制御を、図１１に適用して説明する図である。
図１２の符号ａに示すように、伝送装置１１３は、故障、輻輳に関わらず、予め高い優先度のアラーム１５に絞って管理装置１０に転送する。また、図１２の符号ｂに示すように、伝送装置１１３は、故障、輻輳に関わらず、予め高い優先度のアラーム１５に絞って隣接の伝送装置１１４に転送する。
特許文献１に記載の技術を、上記インバンド通信を用いた通信パスの輻輳制御に適用することにより、重要なアラームを優先的に通知させることができ、重要なアラームを救済できる可能性が高まる。
【先行技術文献】
【特許文献】
【０００８】
【特許文献１】特開平６−６９９２３号公報
【非特許文献】
【０００９】
【非特許文献１】藤木正也、雁部頴一、「通信トラヒック理論」、丸善株式会社、1980年9月15日発行
【非特許文献２】高橋幸雄、森村英典、「混雑と待ち」、丸善株式会社、2001年7月10日発行
【発明の概要】
【発明が解決しようとする課題】
【００１０】
しかしながら、特許文献１に記載の警報状態管理装置は、アラーム送信先の処理負荷低減を目的として予め優先度の高いアラームに絞り込んで通知するので、ＤＣＮ１３の疎通状態に関わらずアラーム１５が絞り込まれてしまう問題点がある。アラーム１５が絞り込まれてしまうと、本来通知すべき自伝送装置のアラーム、および隣接の伝送装置のアラームをロスすることにつながる。
【００１１】
このような背景に鑑みて本発明がなされたのであり、本発明は、重要度の高いアラームからできるだけ多くのアラームについて管理装置へ通知可能とする伝送パス管理制御システム、伝送パス管理制御方法および制御プログラムを提供することを課題とする。
【課題を解決するための手段】
【００１２】
前記した課題を解決するため、請求項１に記載の発明は、通信用ネットワークで結ばれた複数の伝送装置と、管理用ネットワークを介して各前記伝送装置を管理する管理装置と、を備え、前記伝送装置は、前記管理用ネットワークを介して前記管理装置にアラームを通知するとともに、該アラームを通知できない場合、前記通信用ネットワーク上の通信パスを介して隣接の伝送装置に前記アラームを通知し、該隣接の伝送装置から前記管理用ネットワークを介して前記管理装置に該アラームを通知する伝送パス管理制御システムであって、前記管理装置は、前記伝送装置がアラームを生起する際のアラーム種別と優先度を判断するための判断情報を前記伝送装置に指示するアラーム優先度指示手段を備え、前記伝送装置は、自らの事象を通知するためのアラームを生起するアラーム生起手段と、アラームが生起したときに、前記管理装置により指示された前記判断情報に基づいて、生起したアラームに優先度を設定する優先度設定手段と、を備え、前記伝送装置は、自己と隣接度合いの高い、または接続段数の小さい伝送装置からのアラームの優先度を高く設定し、当該アラームの優先度に従いアラーム通知を行うことを特徴とする伝送パス管理制御システムとした。
【００１３】
また、請求項５に記載の発明は、通信用ネットワークで結ばれた複数の伝送装置と、管理用ネットワークを介して各前記伝送装置を管理する管理装置と、を備え、前記伝送装置は、前記管理用ネットワークを介して前記管理装置にアラームを通知するとともに、該アラームを通知できない場合、前記通信用ネットワーク上の通信パスを介して隣接の伝送装置に前記アラームを通知し、該隣接の伝送装置から前記管理用ネットワークを介して前記管理装置に該アラームを通知する伝送パス管理制御方法あって、前記管理装置において、前記伝送装置がアラームを生起する際のアラーム種別と優先度を判断するための判断情報を前記伝送装置に指示するアラーム優先度指示工程を有し、前記伝送装置において、自らの事象を通知するためのアラームを生起するアラーム生起工程と、アラームが生起したときに、前記管理装置により指示された前記判断情報に基づいて、生起したアラームに優先度を設定する優先度設定工程と、を有し、前記伝送装置において、自己と隣接度合いの高い、または接続段数の小さい伝送装置からのアラームの優先度を高く設定し、当該アラームの優先度に従いアラーム通知を行うことを特徴とする伝送パス方法とした。
【００１４】
また、請求項６に記載の発明は、通信用ネットワークで結ばれた複数の伝送装置と、管理用ネットワークを介して各前記伝送装置を管理する管理装置と、を備え、前記伝送装置は、前記管理用ネットワークを介して前記管理装置にアラームを通知するとともに、該アラームを通知できない場合、前記通信用ネットワーク上の通信パスを介して隣接の伝送装置に前記アラームを通知し、該隣接の伝送装置から前記管理用ネットワークを介して前記管理装置に該アラームを通知する伝送パス管理制御システム、を構成する前記管理装置としてのコンピュータを、前記伝送装置がアラームを生起する際のアラーム種別と優先度を判断するための判断情報を前記伝送装置に指示するアラーム優先度指示手段、として機能させるとともに、前記伝送装置としてのコンピュータを、自らの事象を通知するためのアラームを生起するアラーム生起手段、アラームが生起したときに、前記管理装置により指示された前記判断情報に基づいて、生起したアラームに優先度を設定する優先度設定手段、自己と隣接度合いの高い、または接続段数の小さい伝送装置からのアラームの優先度を高く設定し、当該アラームの優先度に従いアラーム通知を行うアラーム送信手段、
として機能させるための制御プログラムとした。
【００１５】
このように、管理用ネットワークが広範囲で故障し、または、輻輳が発生した場合であっても、重要度の高いアラームからできるだけ多くのアラームについて管理装置へ必要なアラームが通知可能となる。
また、自伝送装置が管理装置へのアラームを通知できない場合、他の伝送装置へアラーム通知の要求を移すことができ、自伝送装置のアラーム通知に影響させずに隣接伝送装置のアラーム通知を救済することができる。
また、故障原因となる伝送装置に近い伝送装置のアラームの優先度が上げられるので、重要度が高い故障アラームを通知できる可能性を高めることができる。
【００１６】
また、請求項２に記載の発明は、通信用ネットワークで結ばれた複数の伝送装置と、管理用ネットワークを介して各前記伝送装置を管理する管理装置と、を備え、前記伝送装置は、前記管理用ネットワークを介して前記管理装置にアラームを通知するとともに、該アラームを通知できない場合、前記通信用ネットワーク上の通信パスを介して隣接の伝送装置に前記アラームを通知し、該隣接の伝送装置から前記管理用ネットワークを介して前記管理装置に該アラームを通知する伝送パス管理制御システムであって、前記管理装置は、前記伝送装置がアラームを生起する際のアラーム種別と優先度を判断するための判断情報を前記伝送装置に指示するアラーム優先度指示手段を備え、前記伝送装置は、自らの事象を通知するためのアラームを生起するアラーム生起手段と、アラームが生起したときに、前記管理装置により指示された前記判断情報に基づいて、生起したアラームに優先度を設定する優先度設定手段と、を備え、前記伝送装置は、他の伝送装置へアラームを送出する際の前記通信パスとして、アラームに付与されている優先度を変更しない通常の通信パス、前記優先度を低減させる非優先化通信パス、または、前記優先度を増加させる優先化通信パスのいずれかを用いてアラームを転送する送信手段を備え、前記管理装置により指示された前記判断情報に従って、三種類の前記通信パスのいずれか一つ、またはその組合せを用いてアラームを転送することを特徴とする。
【００１９】
このようにすることで、自己が生起したアラームの優先度が他の伝送装置から通知されたアラームの優先度より高ければ自己のアラームの通知を優先することができる。逆に、自己が生起したアラームの優先度が他の伝送装置から通知されたアラームの優先度より小さければ隣接の伝送装置のアラームの通知を優先することができる。その結果、自伝送装置のアラーム通知に影響させずに隣接伝送装置のアラームの通知を救済することができる。
【００２０】
また、請求項３に記載の発明は、通信用ネットワークで結ばれた複数の伝送装置と、管理用ネットワークを介して各前記伝送装置を管理する管理装置と、を備え、前記伝送装置は、前記管理用ネットワークを介して前記管理装置にアラームを通知するとともに、該アラームを通知できない場合、前記通信用ネットワーク上の通信パスを介して隣接の伝送装置に前記アラームを通知し、該隣接の伝送装置から前記管理用ネットワークを介して前記管理装置に該アラームを通知する伝送パス管理制御システムであって、前記管理装置は、前記伝送装置がアラームを生起する際のアラーム種別と優先度を判断するための判断情報を前記伝送装置に指示するアラーム優先度指示手段を備え、前記伝送装置は、自らの事象を通知するためのアラームを生起するアラーム生起手段と、アラームが生起したときに、前記管理装置により指示された前記判断情報に基づいて、生起したアラームに優先度を設定する優先度設定手段と、を備え、前記伝送装置は、他の伝送装置へアラームを送出する際の前記通信パスとして、アラームに付与されている優先度を変更しない通常の通信パス、前記優先度を低減させる非優先化通信パス、または、前記優先度を増加させる優先化通信パスのいずれかを用いてアラームを転送する送信手段を備え、前記管理装置により指示された前記判断情報に従って、三種類の前記通信パスのいずれか一つ、またはその組合せを用いてアラームを転送することを特徴とする。
【００２１】
このようにすることで、優先度を運用ポリシに合わせてより柔軟に設定・変更することができる。
【００２４】
また、請求項４に記載の発明は、前記伝送装置が、他の伝送装置にアラームを送信する場合、アラームの優先度に従ってアラームを廃棄することを特徴とする。
【００２５】
このようにすることで、優先度処理に伴って必要に応じてアラームを廃棄することができる。
【発明の効果】
【００２６】
本発明によれば、重要度の高いアラームからできるだけ多くのアラームについて疎通を確保し管理装置へ通知可能とする伝送パス管理制御システム、伝送パス管理制御方法および制御プログラムを提供することができる。
【図面の簡単な説明】
【００２７】
【図１】本発明の実施形態に係る伝送パス管理制御システムを示す構成図である。
【図２】図２は、MPLS shim headerによる優先度を付与したフレームを示す図である。
【図３】本実施形態に係る伝送パス管理制御システムの管理装置および伝送装置の詳細構成を示すブロック図である。
【図４】本実施形態の伝送パス管理制御システムのアラームへの優先度の設定と変更を説明する図である。
【図５】本実施形態に係る伝送パス管理制御システムの伝送パス管理制御方法の手順を説明する図である。
【図６】本実施形態に係る伝送パス管理制御システムの管理装置と伝送装置における手順（その１）を示す図である。
【図７】本実施形態に係る伝送パス管理制御システムの管理装置と伝送装置における手順（その２）を示す図である。
【図８】本実施形態に係る伝送パス管理制御システムの管理装置と伝送装置における手順（その３）を示す図である。
【図９】本実施形態に係る伝送パス管理制御システムの管理装置と伝送装置における手順（その４）を示す図である。
【図１０】本実施形態に係る伝送パス管理制御システムの管理装置と伝送装置における手順（その５）を示す図である。
【図１１】従来の複数の伝送装置と１台の管理装置を配備する電気通信ネットワークを説明する図である。
【図１２】特許文献１に記載の警報状態管理装置の優先制御を、図１１に適用して説明する図である。
【発明を実施するための形態】
【００２８】
以下、図面を参照して本発明を実施するための形態（以下、「本実施形態」という）における伝送パス管理制御システム等について説明する。
図１は、本発明の実施形態に係る伝送パス管理制御システムを示す構成図である。図１１と同一構成部分には同一符号を付している。本実施形態は、電気通信ネットワーク上に複数の伝送装置とこれらを管理する管理装置が配備される伝送パス管理制御システムに適用する例である。
図１に示すように、伝送パス管理制御システム１００は、複数の伝送装置１２０１〜１２０５と、伝送装置１２０１〜１２０５を管理する管理装置（ＥＭＳ）１１０とを備える。伝送装置１２０１〜１２０５は、通信用ネットワーク１２で結ばれる。管理装置１１０と伝送装置１２０１〜１２０５間は、ＤＣＮ１３（管理用ネットワークの一例）を介して接続される。以下の説明において、伝送装置１２０１〜１２０５を総称する場合は、伝送装置１２０と呼ぶ。伝送装置１２０の台数は任意（ただし２以上）である。
【００２９】
管理装置１１０は、各伝送装置１２０１〜１２０５とＤＣＮ１３を介して接続する。また、各伝送装置１２０１〜１２０５間には、通信用ネットワーク１２上にインバンド通信パスが設定される。ここでは、伝送装置１２０１と伝送装置１２０２間、伝送装置１２０２と伝送装置１２０３間、伝送装置１２０３と伝送装置１２０４間、伝送装置１２０４と伝送装置１２０５間にてインバンド通信パスが設定されるケースを考える。
【００３０】
<管理装置１１０>
管理装置１１０は、伝送装置１２０がアラームを生起する際のアラームの優先度を判断する判断情報（ロジック）を各伝送装置１２０１〜１２０５に対して設定、変更する。管理装置１１０は、例えば、アラームの種別としてメジャーな故障情報、その回復情報の場合は優先度の高いＣｏＳ（Class of Service）値“７”、マイナーな故障情報、その回復情報の場合はＣｏＳ値“６”、装置システムリソース情報はＣｏＳ値“５”、増設などのプロビジョニング用トラヒック情報の場合はＣｏＳ値“４”を設定する。そして、管理装置１１０は、これらＣｏＳ値を設定したアラーム種別と優先度の対応に関するロジック（判断情報）を各伝送装置１２０１〜１２０５へ通知する。
【００３１】
また、管理装置１１０は、各伝送装置１２０１〜１２０５からのアラームを受信する。ここで、同じアラームについては複数経路を通って複数個を受信する場合がある。このため、管理装置１１０は、重複したアラームは削除して一つのアラームを残して蓄積する。
さらに、管理装置１１０は、各伝送装置１２０１〜１２０５に対して、各伝送装置１２０１〜１２０５間の通信パスについて、通常の通信パス、非優先化インバンド通信パス、または優先化インバンド通信パスに設定、変更する。すなわち、管理装置１１０は、伝送装置１２０が、他の伝送装置へアラームを送出する際の通信パスを、アラームに付与されている優先度を変更しない通常の通信パス、優先度を低減させる非優先化通信インバンドパス、または、優先度を増加させる優先化インバンド通信パスのいずれかに設定する。なお、通常の通信パス、非優先化インバンド通信パス、または優先化インバンド通信パスを用いた手順の詳細については後記する。なお、優先度の高いアラームについては、その重要性を踏まえ、非優先化インバンド通信パスを用いる場合においてもアラームの優先度を低減しない方法も可能である。
【００３２】
<伝送装置１２０>
各伝送装置１２０１〜１２０５は、管理装置１１０からアラームの優先度を判断する判断情報（例えば、ＣｏＳ値を設定したアラーム種別と優先度）を受信し、該判断情報に従ってアラームに優先度を設定する。すなわち、伝送装置１２０は、アラームを生起すると、管理装置１１０からの指示に従ってアラームの種別に応じたＣｏＳ値をアラームに設定する。ＣｏＳ値設定後、管理装置１１０にこのアラームを送信する。ＤＣＮ１３が故障等で利用できない場合は、隣接の伝送装置へ通信パスを用いてこのアラームを送出する。図１の例では、伝送装置１２０１がアラームを発出する場合は、隣接の伝送装置１２０２へ送出している。伝送装置１２０２の場合は、伝送装置１２０１と伝送装置１２０３とのように、予め決めてあるいずれかの隣接の伝送装置へ送出する。あるいは、複数の伝送装置（ここでは伝送装置１２０１と伝送装置１２０３）へ送出するものでもよい。この場合、管理装置１１０にて同じアラームを複数受信する可能性があり、一つを残し他は削除する。
また、各伝送装置１２０１〜１２０５は、隣接の伝送装置からアラームを受信する。アラームを受信した場合は、ＤＣＮ１３を介して管理装置１１０へアラームを送信する。ＤＣＮ１３が故障等で利用できない場合は、さらに隣接の伝送装置へ通信パスを用いて送出する。
【００３３】
隣接の伝送装置へ通信パスを用いてアラームを送出する場合に、通信パスが非優先化インバンド通信パスの場合は、アラームの優先度を低減して送出する。例えば、ＣｏＳ値の場合は“１”だけ減算して送出する。通信パスが輻輳している場合は、アラームの優先度に応じてアラームを送出するか、廃棄の処理を行う。優先度に従って通信パスにアラームを送出する方法については、待ち行列のスケジューリング等の各種の方法が提案されている（非特許文献１，２参照）。本実施形態では、これら非特許文献１，２の優先度設定方法を採用することとし、詳細な説明を省略する。
【００３４】
<ＣｏＳ値設定>
ＣｏＳ値の具体的な設定について説明する。MPLS（Multi-Protocol Label Switching）-Diffserv（Differentiated Services）の適用を想定した場合を例示する。
MPLSは、ＩＰヘッダの内容を見ずにラベルのみを見てフォワーディングする。DiffServを実現するにはラベルでクラスを識別する必要があり、例えば、エッジルータがパケットのクラス分けを行い、そのクラスを識別する目印をＩＰヘッダに書き込む。
【００３５】
図２は、MPLS shim headerによる優先度を付与したフレームを示す図である。
図２において、MPLS-Diffserは、Ｌ２ヘッダ、MPLS shim header、ＩＰパケット（Ｌ３）、およびＬ２トレイラを有し、これらはレイヤ２フレームからなる。MPLS shim headerおよびＩＰパケット（Ｌ３）は、MPLSフレームを構成する。MPLS shim headerは、Label（Label Value:ラベル値）、Exp（Experimental bits:ＱｏＳクラスを示す）、S（Bottom of Stack:ラベルスタック時のボトムラベルを示す）、TTL（Time to Live:MPLSのTTLを示す）からなり、合計３２ｂｉｔである。
本実施形態では、図２に示すMPLS-Diffservを適用した優先制御を行う。管理装置および伝送装置側の優先度設定は、MPLSのExp領域を利用する。図２のMPLS shim headerの“Exp”の３ｂｉｔを用いてＣｏＳ値を設定する。アラーム情報はＩＰパケットに含まれる。
【００３６】
管理装置１１０および伝送装置１２０の詳細構成について説明する。
図３は、管理装置１１０および伝送装置１２０の詳細構成を示すブロック図である。伝送装置１２０１〜１２０５は、同一構成であり、ここでは伝送装置１２０２を例に採る。伝送装置１２０２に隣接する前段の伝送装置１２０は伝送装置１２０１であり、後段の伝送装置１２０は伝送装置１２０３である。
【００３７】
<管理装置１１０の詳細構成>
まず、管理装置１１０の構成を説明する。
図３に示すように、管理装置１１０は、管理装置伝送装置間通信部１１１、アラーム選定部１１２、伝送装置間通信設定部１１３、アラーム受信部１１４、アラーム優先度指示部１１５、およびアラーム送信先設定部１１６を備える。
管理装置伝送装置間通信部１１１は、伝送装置１２０２との通信機能を担う。
アラーム選定部１１２は、アラーム受信部１１４からアラームを取得し、複数の同じアラームを検出した場合、所定の手順に従って一つのアラームのみを残して他を削除する。
【００３８】
伝送装置間通信設定部１１３は、伝送装置１２０２に対して、隣接の伝送装置にアラームを送出するときに優先度を変更しない場合は通常伝送装置間送信部２６１、優先度を低減させる場合は非優先化伝送装置間送信部２６２、優先度を増加させる場合は優先化伝送装置間送信部２６３を利用するように設定する。
アラーム受信部１１４は、管理装置伝送装置間通信部１１１の機能を用いて伝送装置１２０２からのアラームを受信する。
【００３９】
アラーム優先度指示部１１５は、伝送装置１２０２がアラームを生起したときのアラーム種別と優先度の対応を、管理装置伝送装置間通信部１１１を介して伝送装置１２０２に指示する。また、アラーム優先度指示部１１５は、例えば、アラームに付与されている優先度を低減させる場合、最大の優先度を付与したアラームについては優先度を変更せず、それ以外の優先度を付与したアラームについては優先度を低減する。
【００４０】
アラーム送信先設定部１１６は、伝送装置１２０がアラームを生起したときに、どの伝送装置にアラームを送信するかを設定、指示する。アラーム送信先設定部１１６は、伝送装置１２０２のアラームを隣接の伝送装置に送信するとき、どの隣接の伝送装置にアラームを送信するかを管理装置伝送装置間通信部１１１を介して伝送装置１２０２に指示する。
【００４１】
<伝送装置１２０の詳細構成>
次に、伝送装置１２０２（１２０）の構成を説明する。
図３に示すように、伝送装置１２０２（１２０）は、管理装置伝送装置間通信部１２１、アラーム通知部１２２、アラーム通知判断部１２３、アラーム優先度変更部１２４、アラーム送信部１２５、伝送装置間通信部１２６、通常伝送装置間送信部２６１、非優先化伝送装置間送信部２６２、優先化伝送装置間送信部２６３、アラーム生起部１２７、優先度設定部１２８、アラーム優先度表現部１２９、アラーム受信部１３０、およびアラーム廃棄部１３１を備える。
【００４２】
管理装置伝送装置間通信部１２１は、管理装置１１０との通信機能を担う。
アラーム通知部１２２は、管理装置１１０へ生起したアラームを送信可能とアラーム通知判断部１２３が判断した場合に、管理装置伝送装置間通信部１２１を介して管理装置１１０へアラームを通知する。
アラーム通知判断部１２３は、ＤＣＮ１３の故障、輻輳状態を判断して管理装置１１０へのアラーム通知の可否を判断し、不可の場合は、隣接の伝送装置１２０３へアラームを通知するものと判断する。
【００４３】
アラーム優先度変更部１２４は、管理装置１１０の伝送装置間通信設定部１１３により設定された指示内容を保持する。アラーム優先度変更部１２４は、隣接の伝送装置にアラームを送信する場合に、管理装置１１０のアラーム優先度指示部１１５の指示で蓄積されている内容に従って、アラームに付与されている優先度を低減させるか、増加させるか、変更しないかを行う。アラーム優先度変更部１２４は、例えば、他の伝送装置にアラームを送信する場合にアラームの優先度を低減させる。なお、優先度の高いアラームについては、優先度を低減させる場合においてもアラームの優先度を低減しない方法も可能である。
【００４４】
アラーム送信部１２５は、管理装置１１０のアラーム送信先設定部１１６により指示された内容を保持する。アラーム送信部１２５は、管理装置１１０のアラーム送信先設定部１１６の指示で蓄積されている内容に従って、アラームを送信する伝送装置を決めてアラームを伝送装置間通信部１２６に転送する。アラーム送信部１２５は、管理装置１１０にアラームが通知できない場合にアラームを送付すべき他の伝送装置を設定しておき、該伝送装置にアラームを送信する。
【００４５】
伝送装置間通信部１２６は、他の伝送装置との通信機能である。アラームを隣接の伝送装置へ送出する場合は、アラーム優先度変更部１２４の判断を参照して、アラームに付与されている優先度を変更しない場合は通常伝送装置間送信部２６１へ、優先度を低減させる場合は非優先化伝送装置間送信部２６２へ、優先度を増加させる場合は優先化伝送装置間送信部２６３へアラームを転送する。また、伝送装置間通信部１２６は、隣接の伝送装置からのアラームを受信するときは、該アラームをアラーム受信部１３０に引き継ぐ。
アラーム生起部１２７は、伝送装置１２０２が自らの事象（例えば、故障状態）を通知するためのアラームを生起する。
優先度設定部１２８は、管理装置１１０のアラーム優先度指示部１１５により指示された指示内容であるアラーム種別と優先度の対応を蓄積する。優先度設定部１２８は、アラームが生起したときに、管理装置１１０のアラーム優先度指示部１１５からの指示により蓄積されているアラーム種別と優先度の対応を参照し、生起したアラームに優先度を設定する。
アラーム優先度表現部１２９は、アラームの優先度をＭＰＬＳ shim headerの“Exp”の３ｂｉｔにより表し、これを優先度設定部１２８が参照できるようにする。
【００４６】
アラーム受信部１３０は、隣接の伝送装置からのアラームについて伝送装置間通信部１２６を介して受信する。本アラームは、アラーム通知判断部１２３を介して管理装置１１０に送付するか、隣接の伝送装置へ転送するかが判断される。これについては、アラーム受信後はアラーム生起部１２７で生起したアラームと同じ処理が行われる。
【００４７】
アラーム廃棄部１３１は、他の伝送装置にアラームを送信する場合に必要に応じてアラームの優先度に従ってアラームを廃棄する。アラーム廃棄部１３１は、隣接の伝送装置への通信パスにアラームを送出する前に、優先度に応じたアラーム送出を行い、優先度処理に伴って必要に応じてアラームを廃棄する。優先度に従って通信パスにアラームを送出する方法については、上述のとおり、待ち行列のスケジューリング等の各種の方法が提案されており、本発明ではこれらを採用することとし、特に言及はしない。
【００４８】
通常伝送装置間送信部２６１は、通常の通信パスを用いて隣接の伝送装置１２０にアラームを転送する。また、通常伝送装置間送信部２６１は、伝送装置間通信部１２６からアラームを引き継いだ場合、アラーム廃棄部１３１を介して通常の通信パスを用いて隣接の伝送装置へアラームを転送する。
非優先化伝送装置間送信部２６２は、非優先化通信パスを用いて隣接の伝送装置１２０にアラームを転送する。また、非優先化伝送装置間送信部２６２は、非優先化通信パスを用いる。
優先化伝送装置間送信部２６３は、優先化通信パスを用いて隣接の伝送装置１２０にアラームを転送する。また、優先化伝送装置間送信部２６３は、優先化通信パスを用いる。
【００４９】
以下、上述のように構成された伝送パス管理制御システムの伝送パス管理制御方法について説明する。
まず、伝送パス管理制御方法の概要について説明する。
伝送パス管理制御システム１００（図１参照）は、インバンド通信の通信パスの輻輳時において通信パスにて転送される重要度の高いアラームから順に多くのアラームを救済するため、アラームに優先度を付与するものである。具体的には、伝送パス管理制御システム１００は、管理装置１１０が、各伝送装置１２０１〜１２０５へ優先度を判断する判断情報を設定、変更する。また、伝送装置１２０１〜１２０５は、管理装置１１０から指示された判断情報に従って優先度をアラームに設定する。伝送装置１２０１〜１２０５は、アラームの重要度に応じて優先度を付与してアラームを送出する。
【００５０】
特に優先度の高いアラームの一つは、故障アラームである。伝送装置１２０１〜１２０５は、故障時に管理装置１１０に該故障アラームを通知することで迅速な故障対策を促すことができる。故障時には、一般に複数の伝送装置１２０１〜１２０５がアラームを生起することが多い。故障原因である伝送装置の他に、該伝送装置と直接通信する伝送装置１２０１〜１２０５群が通信できなくなるため、これらの伝送装置群からも故障アラームが生起する。さらにその先の伝送装置群もアラームを生起する可能性が高くなる。すなわち、故障原因となる伝送装置と接続段数の小さな伝送装置のアラームほど故障アラームである可能性が高いと考えることができ、重要度が高くなる。したがって、伝送装置１２０１〜１２０５の故障時には、隣接度合いの高い伝送装置１２０１〜１２０５群から故障アラームが生起され、これらを優先することが重要となる。一方で、ＤＣＮ１３の一部故障や輻輳時には、アラームを管理装置１１０に通知可能となる伝送装置が限られてくる。管理装置１１０にアラームを通知することが可能となる伝送装置が、これらの故障アラームを発生する伝送装置１２０１〜１２０５群から選ばれる場合を考慮し、故障時にはできるだけ近い伝送装置からのアラームを優先させることが必要となる。
【００５１】
<アラームへの優先度の設定と変更>
図４は、本実施形態の伝送パス管理制御システムのアラームへの優先度の設定と変更を説明する図である。図中、太実線矢印が該当手順のブロック部を表している（以下、各図について同様）。
図４の符号ａ１，ａ２に示すように、管理装置１１０と伝送装置１２０１間、および管理装置１１０と伝送装置１２０２間の通信経路に故障が発生した場合を例に採る。
図４の符号ｂに示すように、アラーム１５０への優先度は、アラーム１５０を生起した伝送装置１２０１が付与する。ここでは伝送装置１２０１に隣接する後段の伝送装置１２０２についてもＤＣＮ１３の故障等により管理装置１１０にアラームを通知することができない場合を例示している。伝送装置１２０２は、アラーム１５０を通知することになるが、図４の符号ｃに示すように、伝送装置１２０２に隣接するさらに後段の伝送装置１２０３にアラーム１５０を送出するときには優先度の値を低下させる処理を行う。
このように、隣接関係の弱い伝送装置１２０からのアラーム１５０については優先度を小さく、隣接関係の強い伝送装置１２０からのアラーム１５０は優先度を高く設定することが可能となる。
【００５２】
一方で、伝送装置１２０２は、自己が管理装置１１０にアラームを通知することができず、次に隣接する伝送装置１２０３にアラームを送出するときには優先度を低く設定する処理を行う。これにより、伝送装置１２０１に近い伝送装置１２０２は、伝送装置１２０１から遠い伝送装置１２０３より優先される。すなわち、アラームに優先度が付与されているので、伝送装置１２０２は、自己が生起したアラームの優先度が通信パス１４０を介して他の伝送装置から通知されたアラームの優先度より高ければ自己のアラームの通知を優先することができる。逆に、自己が生起したアラームの優先度が通信パス１４０を介して他の伝送装置から通知されたアラームの優先度より小さければ隣接の伝送装置のアラームの通知を優先することができる。このように、伝送装置１２０２のアラーム通知に影響させずに隣接伝送装置１２０３のアラーム通知を救済することができる。
ここで、本実施形態では、優先度としてＣｏＳ値を用いている。図４の場合、伝送装置１２０２からアラーム１５０を引き継ぐ後段の伝送装置１２０３は、ＣｏＳ値を１だけ減算して送出する処理を行う。
【００５３】
また、アラーム１５０の優先度を低減させる処理とともに低減させない処理、優先度を増加させる処理も可能とするため、インバンド通信パスに種別を設ける。すなわち、インバンド通信パスに、通常の通信パスと、非優先化インバンド通信パスと、優先化インバンド通信パスとを設ける。そして、伝送装置１２０は、非優先化インバンド通信パスにアラームを送出する場合には優先度を低下させ、優先化インバンド通信パスに送出する場合には優先度を増加させる処理を行う。また伝送装置１２０は、通常の通信パスに送出する場合には優先度の変更はしない。通信パスについて三種類の何れの通信パスにするかについては、管理装置１１０から伝送装置１２０へ指示を行い、伝送装置１２０はこれに従って通信パス１４０を変更する。
【００５４】
ここで、優先度の高いアラームについては、その重要性を踏まえ、非優先化インバンド通信パスを用いる場合においてもアラームの優先度を低減しない方法も可能である。
優先度に従って通信パスにアラームを送出する方法については、非特許文献１、非特許文献２などの文献で説明されるとおり、待ち行列のスケジューリング等の各種の方法が提案されている。本実施形態では、これらの優先度の設定方法を採用することとし、特に言及はしない。
【００５５】
次に、図５乃至図１０を参照して伝送パス管理制御方法の詳細な手順について説明する。
<伝送パス管理制御方法の手順>
図５は、本実施形態の伝送パス管理制御システムの伝送パス管理制御方法の手順を説明する図である。図５中の下方の四角形（□印）内の数値は、アラーム１５０の優先度（設定ＣｏＳ値）を示す。また、(a22)，(a31) ，(a32)等は、説明の便宜のために付した、ＣｏＳ値を有するアラーム名である。
ここで、管理装置１１０は、伝送装置１２０が、他の伝送装置伝送装置へアラームを送出する際の通信パスを、アラームに付与されている優先度を変更しない通常の通信パス１４１（図３参照）、優先度を低減させる非優先化インバンド通信パス１４２、または、優先度を増加させる優先化インバンド通信パス１４３のいずれかに設定する。図５は、通常の通信パス１４１と非優先化インバンド通信パス１４２とを用いる例である。この例に限定されず、通常の通信パス１４１と優先化インバンド通信パス１４３とを用いてもよい。また、三つの通信パスの全部を用いてもよい。
【００５６】
設定ＣｏＳ値は、「７」〜「０」（「７」が最も高い優先度）とする。優先度を設定するための判断ロジックは、例えば下記の通りである。
「７」：アラーム種別がMajor and 装置故障アラーム／回復アラーム
「６」：アラーム種別がMinor and 装置故障アラーム／回復アラーム
「５」：装置システムリソース情報
「４」：プロビ用トラヒック情報
【００５７】
図５に示すように、管理装置１１０は、各伝送装置１２０１〜１２０５とＤＣＮ１３を介して接続されている。
管理装置１１０は、通常の通信パス１４１を伝送装置１２０１と伝送装置１２０２の間、および、伝送装置１２０４と伝送装置１２０５の間に設定する。また、管理装置１１０は、非優先化インバンド通信パス１４２を伝送装置１２０２と伝送装置１２０３間、および、伝送装置１２０３と伝送装置１２０４の間に設定する。
管理装置１１０は、アラームの優先度を判断するロジックとして、メジャーな故障情報を通知するアラームについてはＣｏＳ値を“７”に設定して生起するよう各伝送装置１２０１〜１２０５に設定する。各伝送装置１２０１〜１２０５は、管理装置１１０により設定されたＣｏＳ値に従って、アラームに優先度を設定する。
【００５８】
管理装置１１０は、各伝送装置１２０１〜１２０５が管理装置１１０との間のＤＣＮ１３の故障等で利用できない場合は、隣接の伝送装置へアラームを転送するように設定する。ここでは、隣接の伝送装置として伝送装置１２０１は伝送装置１２０２へ、伝送装置１２０２は伝送装置１２０３へ（図５の太実線参照）、伝送装置１２０３は伝送装置１２０４へ（図５の太実線参照）、伝送装置１２０４は伝送装置１２０５間へアラームを転送するように設定する。
【００５９】
図５に示すように、伝送装置１２０１と伝送装置１２０３にメジャーな故障が発生し、かつ、図５の符号ａ１〜ａ４に示すように、伝送装置１２０１〜１２０４と管理装置１１０との間のＤＣＮ１３が故障で利用不可となり、伝送装置１２０５と管理装置１１０間のみＤＣＮ１３が利用可能であるケースを考える。
まず、伝送装置１２０１では、ＣｏＳ値“７”のアラーム(a22)が生起される。このとき、伝送装置１２０１と管理装置１１０との間のＤＣＮ１３が故障で利用不可であるため（図５の符号ａ１参照）、隣接の伝送装置１２０２へ向けて設定されている通常のインバンド通信パス１４１を用いてＣｏＳ値“７”のままでアラーム(a31)を送出する。このアラーム(a22)と(a31)は同じである。
【００６０】
伝送装置１２０２では、アラーム(a31)を受け、伝送装置１２０２と管理装置１１０との間のＤＣＮ１３が故障で利用不可であるため（図５の符号ａ２参照）、隣接の伝送装置１２０３へ向けてアラーム(a32)を送出する。このとき非優先化インバンド通信パス１４２が設定されているため、伝送装置１２０２は、ＣｏＳ値を“１”だけ低減させてＣｏＳ値“６”のアラーム(a41)を送出する。このアラーム(a32)と(a41)は同じである。このアラーム(a41)を受信した伝送装置１２０３においても同じ状況であるため（図５の符号ａ３参照）、伝送装置１２０３は、ＣｏＳ値を“１”だけ低減させて伝送装置１２０４へＣｏＳ値“５”のアラーム(a42)を送出する。
このアラーム(a42)を受信した伝送装置１２０４は、隣接の伝送装置１２０５へ向かってアラーム(s52)を送出する。ここで、伝送装置１２０４と伝送装置１２０５間のインバンド通信パスが輻輳（図５の符号ｃ参照）であるので、伝送装置１２０４は、上述した優先処理を行う。
【００６１】
図５では、ＣｏＳ値“５”のアラーム(a52)とＣｏＳ値“６”の別のアラーム(a54)が同じタイミングで、この通信パスを利用するケースを想定している。このため、両方のアラームの間で優先処理を行う。図５では、アラーム(a52)の優先度が低いため廃棄される事例を記載している。
【００６２】
次に、図５の太実線に示すように、メジャーな故障を通知するため伝送装置１２０３においても、ＣｏＳ値“７”のアラーム(a44)が生起される。上述した場合と同様に、非優先化インバンド通信パス１４２を用いるため、伝送装置１２０３は、ＣｏＳ値を“６”に落として伝送装置１２０４へＣｏＳ値“６”のアラーム(a53)を送出する。
伝送装置１２０４では、アラーム(s53)を受信し、通常のインバンド通信パス１４１を用いて伝送装置１２０５へ送出する。上述したように、伝送装置１２０４と伝送装置１２０５間のインバンド通信パスが輻輳（図５の符号ｃ参照）しているので、伝送装置１２０４は、上述した優先処理を行う。伝送装置１２０５へ向かって送出するアラーム(a54)は、ＣｏＳ値が“６”で、上述した別のアラーム(a52)のＣｏＳ値“５”よりも優先度が高い。このため、伝送装置１２０４は、輻輳している伝送装置１２０４と伝送装置１２０５間のインバンド通信パスを優先的に利用して伝送装置１２０５へ送出する。伝送装置１２０５は、アラーム(a63)を受信し、管理装置１１０へこのアラーム(a63)と同じ優先度のアラーム(a64)を通知する（図５の符号ｂ参照）。
【００６３】
次に、図６乃至図１０を参照して管理装置１１０と伝送装置１２０２間における手順について説明する。
<管理装置１１０と伝送装置１２０２における手順（その１）>
図６は、本実施形態の伝送パス管理制御システムの管理装置１１０と伝送装置１２０２における手順（その１）を示す図である。アラーム種別と優先度の対応を管理装置１１０から伝送装置１２０２に設定する手順を示す。
まず、管理装置１１０は、アラーム優先度指示部１１５が、管理装置伝送装置間通信部１１１介してアラーム種別と優先度の対応の情報を伝送装置１２０２に送信する。
伝送装置１２０２は、管理装置伝送装置間通信部１２１が、管理装置１１０から送信されたアラーム種別と優先度の対応の情報を受信し、優先度設定部１２８へ転送する。優先度設定部１２８は、このアラーム種別と優先度の対応の情報を蓄積する。
【００６４】
<管理装置１１０と伝送装置１２０２における手順（その２）>
図７は、本実施形態の伝送パス管理制御システムの管理装置１１０と伝送装置１２０２における手順（その２）を示す図である。伝送装置１２０２がアラームを隣接の伝送装置に送信するとき、どの隣接の伝送装置にアラームを送信するかを管理装置１１０から伝送装置１２０２に設定する手順を示す。
まず、管理装置１１０は、アラーム送信先設定部１１６が、アラームを送信すべき隣接の伝送装置の情報を管理装置伝送装置間通信部１１１介して伝送装置１２０２に送信する。
伝送装置１２０２は、管理装置伝送装置間通信部１２１が、管理装置１１０から送信されたアラームを送信すべき隣接の伝送装置の情報を受信し、アラーム送信部１２５へ転送する。アラーム送信部１２５は、このアラームを送信すべき隣接の伝送装置の情報を蓄積する。
【００６５】
<管理装置１１０と伝送装置１２０２における手順（その３）>
図８は、本実施形態の伝送パス管理制御システムの管理装置１１０と伝送装置１２０２における手順（その３）を示す図である。伝送装置１２０２がアラームを隣接の伝送装置に送信するときに、通常伝送装置間送信部２６１、非優先化伝送装置間送信部２６２、優先化伝送装置間送信部２６３のいずれを用いるかを設定する手順を示す。
まず、管理装置１１０は、伝送装置間通信設定部１１３が、通常伝送装置間送信部２６１、非優先化伝送装置間送信部２６２、優先化伝送装置間送信部２６３のいずれを選択すべきかの情報を管理装置伝送装置間通信部１１１介して伝送装置１２０２に送信する。
伝送装置１２０２は、管理装置伝送装置間通信部１２１が、管理装置１１０から送信された非優先化伝送装置間送信部２６２、優先化伝送装置間送信部２６３のいずれを選択すべきかの情報を受信し、アラーム優先度変更部１２４へ転送する。アラーム優先度変更部１２４は、このいずれを選択すべきかの情報を蓄積する。
【００６６】
<管理装置１１０と伝送装置１２０２における手順（その４）>
図９は、本実施形態の伝送パス管理制御システムの管理装置１１０と伝送装置１２０２における手順（その４）を示す図である。伝送装置１２０２においてアラームが生起した場合の手順を示す。
まず、伝送装置１２０２のアラーム生起部１２７においてアラームが生起する。優先度設定部１２８は、蓄積したアラーム種別と優先度の対応を参照して生起したアラームの優先度を設定する。例えばＭＰＬＳ shim headerによりアラームの優先度を表現する場合、アラーム優先度表現部１２９は、アラームの優先度をＭＰＬＳ shim headerの“Exp”の３ｂｉｔにより表す（図２参照）。優先度設定部１２８は、アラーム優先度表現部１２９によって表現されたアラームの優先度を参照可能である。
次に、アラーム通知判断部１２３は、ＤＣＮ１３を利用して管理装置１１０へアラームを通知することが可能か否かを確認する。アラーム通知判断部１２３は、故障や輻輳によりＤＣＮ１３が一部利用不可である場合、隣接の伝送装置１２０３へアラームを送信するものと判断する。アラーム通知判断部１２３は、ＤＣＮ１３が利用可能であれば管理装置１１０へアラームを通知するものと判断する。
【００６７】
・隣接の伝送装置１２０３へアラームを送信する場合
アラーム通知判断部１２３は、隣接の伝送装置１２０３へアラームを送信すると判断した場合、アラーム優先度変更部１２４が、管理装置１１０のアラーム優先度指示部１１５の指示で優先度設定部１２８に蓄積されている内容に従って、アラームに付与されている優先度を低減させるか、増加させるか、変更しないかを行う。例えば、優先度を低減する場合は、ＣｏＳ値を１だけ低減する。
次いで、アラーム送信部１２５は、アラームの送信先となる伝送装置を決めて、アラームを伝送装置間通信部１２６に転送する。
伝送装置間通信部１２６は、例えば優先度を低減する場合、アラームの転送先となる伝送装置に向かう非優先化伝送装置間送信部２６２へアラームを転送する。伝送装置間通信部１２６は、非優先化伝送装置間送信部２６２による非優先化通信パスを利用して隣接の伝送装置へアラームを送出する。このとき、アラーム優先度表現部１２９が優先度処理を行い、アラーム廃棄部１３１が必要に応じてこのアラームを廃棄する。
【００６８】
・管理装置１１０へアラームを送信する場合
アラーム通知判断部１２３は、ＤＣＮ１３が利用可能で管理装置１１０へアラームを通知すると判断した場合、アラーム通知部１２２が、管理装置伝送装置間通信部１２１を介して管理装置１１０へアラームを通知する。
管理装置１１０は、アラーム受信部１１４が、管理装置伝送装置間通信部１１１を介して伝送装置１２０２から送信されたアラームを受信する。アラーム受信部１１４は、このアラームをアラーム選定部１１２へ転送する。
アラーム選定部１１２は、複数経路にて複数の同一アラームが転送されて来る可能性への対応として、複数の同じアラームを検出し、一つのアラームのみを残して他を削除する。
【００６９】
図１０は、本実施形態の伝送パス管理制御システムの管理装置１１０と伝送装置１２０２における手順（その５）を示す図である。アラームが隣接の伝送装置から該伝送装置１２０２へ送信されて来る場合の手順を示す。
まず、伝送装置１２０２は、アラーム受信部１３０が、伝送装置間通信部１２６を介して隣接する伝送装置１２０（ここでは伝送装置１２０１）からのアラームを受信する。
次に、アラーム通知判断部１２３は、伝送装置１２０１から受信したアラームを管理装置１１０に転送するか、他の伝送装置に転送するかを判断するかを判断する。以降の手順は、図９の手順（その４）と同様である。
【００７０】
以上説明したように、本実施形態の伝送パス管理制御システム１００は、管理装置１１０が、伝送装置１２０がアラームを生起する際のアラーム種別と優先度（ＣｏＳ値）を判断するための判断情報を伝送装置１２０に指示するアラーム優先度指示部１１５を備え、伝送装置１２０が、自らの事象を通知するためのアラームを生起するアラーム生起部１２７と、アラームが生起したときに、管理装置１１０により指示された判断情報に基づいて、生起したアラームに優先度を設定する優先度設定部１２８と、を備える。
【００７１】
そして、本伝送パス管理制御方法は、管理装置１１０では、前記判断情報を伝送装置に指示し、伝送装置１２０では、アラームが生起したときに、前記判断情報に基づいて、生起したアラームに優先度を設定する。
【００７２】
これにより、伝送装置１２０は、ＤＣＮ１３が広範囲で故障し、または、輻輳が発生した場合であっても、重要度の高いアラームからできるだけ多くのアラームについて疎通を確保することができ、管理装置１１０へ必要なアラームが通知可能となる。
また、伝送レイヤは単純に装置単体ではなく、パスの概念で周辺装置と接続されており、隣接装置のアラームも含めて優先して上位に通知すべきである。本実施形態では、アラーム種別に合せて優先度（ＣｏＳ値）を設定するとともに、アラーム１５０を引き継ぐ後段の伝送装置の優先度を落とす（ＣｏＳ値を１つ落とす）ことで、近い伝送装置が遠い伝送装置より優先される。自伝送装置のアラーム通知に影響させずに隣接伝送装置のアラーム通知を救済することができる。
このように、故障原因となる伝送装置に近い伝送装置のアラームの優先度が上げられるので、重要度が高い故障アラームを通知できる可能性を高めることができる。
【００７３】
また、自伝送装置が管理装置１１０にアラームを通知することができず、隣接する伝送装置にさらに隣接する伝送装置にアラームを送出するときには優先度を低く設定することで、自伝送装置のアラーム通知に影響させずに隣接伝送装置のアラームの通知を救済することができる。
【００７４】
また、上記各実施形態において説明した各処理のうち、自動的に行われるものとして説明した処理の全部又は一部を手動的に行うこともでき、あるいは、手動的に行われるものとして説明した処理の全部又は一部を公知の方法で自動的に行うこともできる。この他、上述文書中や図面中に示した処理手順、制御手順、具体的名称、各種のデータやパラメータを含む情報については、特記する場合を除いて任意に変更することができる。
また、図示した各装置の各構成要素は機能概念的なものであり、必ずしも物理的に図示の如く構成されていることを要しない。すなわち、各装置の分散・統合の具体的形態は図示のものに限られず、その全部又は一部を、各種の負荷や使用状況などに応じて、任意の単位で機能的又は物理的に分散・統合して構成することができる。
【００７５】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行するためのソフトウェアで実現してもよい。各機能を実現するプログラム、テーブル、ファイル等の情報は、メモリや、ハードディスク、ＳＳＤ（Solid State Drive）等の記録装置、又は、ＩＣ（Integrated Circuit）カード、ＳＤ（Secure Digital）カード、光ディスク等の記録媒体に保持することができる。また、本明細書において、時系列的な処理を記述する処理ステップは、記載された順序に沿って時系列的に行われる処理はもちろん、必ずしも時系列的に処理されなくとも、並列的あるいは個別に実行される処理（例えば、並列処理あるいはオブジェクトによる処理）をも含むものである。
【符号の説明】
【００７６】
１２  通信用ネットワーク
１３  ＤＣＮ（管理用ネットワークの一例）
１００  伝送パス管理制御システム
１１０  管理装置（ＥＭＳ）
１１１  管理装置伝送装置間通信部
１１２  アラーム選定部
１１３  伝送装置間通信設定部
１１４  アラーム受信部
１１５  アラーム優先度指示部
１１６  アラーム送信先設定部
１２０，１２０１〜１２０５  伝送装置
１２１  管理装置伝送装置間通信部
１２２  アラーム通知部
１２３  アラーム通知判断部
１２４  アラーム優先度変更部
１２５  アラーム送信部
１２６  伝送装置間通信部
１２７  アラーム生起部
１２８  優先度設定部
１２９  アラーム優先度表現部
１３０  アラーム受信部
１３１  アラーム廃棄部
１４０  通信パス
１４１  通常のインバンド通信パス
１４２  非優先化インバンド通信パス
１４３  非優先化インバンド通信パス
１５０  アラーム
２６１  通常伝送装置間送信部
２６２  非優先化伝送装置間送信部
２６３  優先化伝送装置間送信部
【図１】
0006378633.tif 000002
【図２】
0006378633.tif 000003
【図３】
0006378633.tif 000004
【図４】
0006378633.tif 000005
【図５】
0006378633.tif 000006
【図６】
0006378633.tif 000007
【図７】
0006378633.tif 000008
【図８】
0006378633.tif 000009
【図９】
0006378633.tif 000010
【図１０】
0006378633.tif 000011
【図１１】
0006378633.tif 000012
【図１２】
0006378633.tif 000013